(57)【要約】【課題】  荷物を収納したままで面倒な操作を必要とせずにすぐに座ることができる携帯用椅子兼袋物を提供する。【解決手段】  椅子として使用できるような、円形をなす底部と円筒形状の胴部からなり且つ上端に開口を有する箱体１２と、開口を覆う円形をなす蓋体１４を有する。箱体１２を、有底円筒形状の袋状にした外布１５で覆って外装を施すと共に内側に有底円筒形状の袋状とした内布を配して袋体１７とする。上記袋体１７の上端開口の周縁部と蓋体１４の周縁部をオープンファスナ１８で着脱できるようにする。袋体１７に品物を収納して袋体１７に蓋体１４を取り付け、袋物として用いると共に、蓋体１４の外側面に腰を掛けて座椅子として用いるようにする。【選択図】図１
0003110643.tif 000002
【実用新案登録請求の範囲】
【請求項１】
椅子として使用できるような胴部と底部からなる上端開口の箱体と該開口を覆う蓋体を有し、上記箱体を、外装を施すと共に、内側に布を袋状に配して袋体とし、且つ該袋体の上端開口の周縁部と上記蓋体の周縁部に、該蓋体と袋体を着脱可能にする係合部材を取り付けた構成を有することを特徴とする携帯用椅子兼袋物。
【請求項２】
袋体を、箱体の底部内面と胴部外側面にクッション性を付与させたものとし、蓋体を、少なくとも外面にクッション材を取り付けたものとした請求項１記載の携帯用椅子兼袋物。
【請求項３】
箱体の内側に配した袋状布の内面に単数又は複数のポケットを設けた請求項１又は２記載の携帯用椅子兼袋物。
【請求項４】
袋体の胴部と蓋体の外側に、取り替えできるようにカバーを備え、袋体胴部に備えるカバーの外側面に、単数又は複数のポケットを設けた請求項１、２又は３記載の携帯用椅子兼袋物。
【考案の詳細な説明】
【技術分野】
【０００１】
本考案は、携帯用の椅子としても利用でき、且つ小物類等の品物を収納する袋物に関するものである。
【背景技術】
【０００２】
高齢者や足腰の不自由な人にとって、外出先での長時間の歩行や起立姿勢は大変である。そのため、いつでも休みたい時に座れるよう、手軽に持ち運びできるような椅子を携帯するようにすれば便利である。しかしながら、携帯用の椅子としての用途しかないものでは、他にも手荷物がある場合に、携帯すべき手荷物が増えてしまう。そのため、出来るだけ手荷物は少なくすることが好ましく、普段は手提げ袋のように荷物を収納できる袋として使用し、座りたい時に椅子として利用できるようなものが望まれる。このような要望に応えるため、現在までに、種々のものが提案されている。
【０００３】
図１２は手提げ袋を携帯用の椅子としても利用できるようにしたものの一例を示すもので、座椅子として使用できるようにしてある上面開口のほぼ三角形状の箱体１を用いて、その底面部の外表面に箱体クッション材２を設け、該箱体１を、表面３と裏面４の二重構造を有する袋体５の上記表面３と裏面４との間に配置して、袋体５の底裏面に箱体１の底表面を合わせるようにし、袋体５の表面３又は裏面４（図では裏面４側）に設けた出し入れ口６から上記箱体１を出し入れすることができるようにしてある。又、上記袋体５には開口部の周縁部の所要位置に持ち手が設けられ、持ち運びができるようにしてある。これにより、袋体５の中に財布等の小物を入れて持ち運びができ、座るときには、袋体５の底面を上にして、箱体１の底表面に設けた箱体クッション材２の上に腰をかけるようにすることで、携帯用の座椅子として用いることができるようにしたものが提案されている（たとえば、特許文献１参照）。
【０００４】
又、他の例としては、たとえば、図１３に示すように、通気性を遮断した長方形の布を二枚重ね合わせてその縁辺すべてを密着した上で、両端部にファスナ７ａを取り付け、該ファスナ７ａを装着することにより円筒状の胴７が形成されるようにし、該円筒状に形成された胴７の両開口部分に天蓋８と底蓋９を装着するようにしてあり、更に、上記胴７に、上下の両端部に所要間隔で２本の紐１０を取り付け、上記胴７に設けた空気圧入口１１から中に空気を封入できるようにしてある。これにより、胴７の中に小物を入れて持ち運びができ、座るときには、胴７の空気圧入口１１から空気を圧入した上で、天蓋８若しくは底蓋９の上に腰をかけるようにすることで、携帯用の椅子として用いることができるようにしたものが提案されている（たとえば、特許文献２参照）。
【０００５】
【特許文献１】特開平１０−１１７８８７号公報
【特許文献２】実開昭５７−１４４８６５号公報
【考案の開示】
【考案が解決しようとする課題】
【０００６】
ところが、特許文献１に記載されたものは、座椅子として用いる場合には袋体５の底面を上にするために、袋体５の中に小物類を入れておくと該小物類が袋体５の開口部から出てしまうことから、座椅子として用いるときにはその都度袋体５の中に入れた小物類を取り出すようにするか、袋体５の口を固く縛っておくようにしてから座らなくてはならないという問題がある。又、通常袋体５の底面であるところを座椅子の座面とするために、清潔的ではなく、底面に付着した埃や塵を落としてから座らなくてはならないという問題もある。
【０００７】
又、特許文献２に記載されたものは、椅子として用いる場合には胴７の空気圧入口１１から充分に空気を圧入しなければならず、高齢者や肺活量の少ない人には無理な場合があるという問題がある。
【０００８】
そこで、本考案は、普段は品物を収納する袋として使用し、座りたい時に、品物を収納したままの状態で面倒な操作を必要とせずにすぐに座ることができるような携帯用椅子兼袋物を提供しようとするものである。
【課題を解決するための手段】
【０００９】
本考案は、上記課題を解決するために、椅子として使用できるような胴部と底部からなる上端開口の箱体と該開口を覆う蓋体を有し、上記箱体を、外装を施すと共に、内側に布を袋状に配して袋体とし、且つ該袋体の上端開口の周縁部と上記蓋体の周縁部に、該蓋体と袋体を着脱可能にする係合部材を取り付けた構成とする。
【００１０】
又、上記構成における袋体を、箱体の底部内面と胴部外側面にクッション性を付与させたものとし、蓋体を、少なくとも外面にクッション材を取り付けたものとした構成とする。
【００１１】
更に、上記構成における箱体の内側に配した袋状布の内面に単数又は複数のポケットを設けた構成とする。
【００１２】
更に又、上記袋体の胴部と蓋体の外側に、取り替えできるようにカバーを備え、袋体胴部に備えるカバーの外側面に、単数又は複数のポケットを設けた構成とする。
【考案の効果】
【００１３】
本考案の携帯用椅子兼袋物によれば、次の如き優れた効果を発揮する。 
（１）椅子として使用できるような胴部と底部からなる上端開口の箱体と該開口を覆う蓋体を有し、上記箱体を、外装を施すと共に、内側に布を袋状に配して袋体とし、且つ該袋体の上端開口の周縁部と上記蓋体の周縁部に、該蓋体と袋体を着脱可能にする係合部材を取り付けた構成としてあるので、袋体の中に品物を収納することができて普段は品物を収納する袋物として使用することができると共に、蓋体を外せば、袋体内に長尺のものも入れることができ、又、全体が軽量化されているので、携帯が楽であり、品物を袋体内に収納したままで携帯して、任意の場所で座りたいときは、蓋体の上面に腰をかけることができるために、そのまま椅子として用いることができる。 
（２）袋体を、箱体の底部内面と胴部外側面にクッション性を付与させたものとし、蓋体を、少なくとも外面にクッション材を取り付けたものとした構成とすることにより、袋体の中に品物を収納する際、該品物が箱体底部の上に落下させても、そのときの衝撃を底部内面のクッション材で吸収させることができ、又、蓋体の内面にもクッション材を取り付けておけば、携帯時の袋物の取り扱いにより袋体内の品物が上下に移動して蓋体の内面に接触することがあっても、その際の衝撃を蓋体の内面のクッション材で吸収させることができて、壊れ易いものでも損傷させることなく収納することができ、又、座面となる蓋体の外面のクッション材により座り心地をよくすることができ、更に、袋体を構成する箱体の胴部外側面のクッション材により周辺にある物や人との接触による衝撃を和らげることができるようになる。 
（３）又、箱体の内側に配した袋状布の内面に単数又は複数のポケットを設けた構成とすることにより、小物類の品物を整理して収納しておくことができ、又、本考案の袋物を所持して移動時においても、取り出したい小物類を袋体内で探す手間を要せず簡単に取り出すことができる。 
（４）更に、上記袋体の胴部と蓋部の外側に取り替えできるようにしたカバーを備えた構成とすることにより、カバーとして、外表面の色や柄の異なるものを用意しておいて、使用時の状況に合わせて使い分けることができ、不祝儀のときに表面を黒色としたカバーを嵌めて用いることができて、人目を憚らずに携帯できると共に、着席できない場合は椅子として使用することができ、袋体胴部に備えるカバーの外側面に、単数又は複数のポケットを設けた構成とすることにより、小物類のうち、頻繁に出し入れする必要があるものをすぐに出し入れできる状態で収納しておくことができ、上記のように不祝儀の場合には、ポケットに数珠等必要なものを入れておくことができる。
【考案を実施するための最良の形態】
【００１４】
以下、図面に基づき本考案を実施するための最良の形態を説明する。
【００１５】
図１乃至図５は、本考案の実施の一形態を示すもので、椅子として使用できるように、底部１２ａと円筒形状の胴部１２ｂからなり且つ上端に開口１３を有する箱体１２と、該開口１３を覆う大きさの円形をなす蓋体１４を有し、上記箱体１２を、有底円筒形状の袋状にした外布１５で覆って外装を施すと共に内側に有底円筒形状の袋状とした内布１６を配して袋体１７とする。又、該袋体１７の上端開口１３の周縁部と上記蓋体１４の周縁部に、それぞれ該蓋体１４と袋体１７を着脱可能にする係合部材としてのオープンファスナ１８を取り付けるようにする。
【００１６】
詳述すると、上記袋体１７を構成する箱体１２は、図２（イ）（ロ）に示す如く、底部１２ａ、胴部１２ｂを、軽量のアルミニウム、ブリキ等の金属製や合成樹脂製として、通常の大人が座っても変形することのないような強度を有するものとしてある。又、上記箱体１２の底部１２ａの内面には、ポリウレタン、綿等を所要厚さの板状にしてなるクッション材２１を全面にわたり取り付けて、該クッション材２１の内側に袋状の内布１６の底面部を位置させ、クッション材２１が箱体１２と内布１６との間に挟まれていて袋体１７の内側に露出しないようにする。これにより、袋体１７の内側の内布１６の袋内に品物を投入して収納することができ、又、該品物が底部１２ａに落下したときの衝撃力をクッション材２１で吸収できるようにする。更に、上記箱体１２の胴部１２ｂの外側面には、上記クッション材２１と同様なクッション材２２を巻き付けるように配置して全周にわたり取り付けて、その外側を袋状の外布１５で被覆した構成とし、外布１５の外から胴部１２ｂに物や人とが接触しても、そのときの衝撃をクッション材２２で吸収できるようにする。
【００１７】
又、上記袋体１７の内布１６の上端部の周縁部１６ａと、クッション材２２の上端部を外側から包み込むようにした外布１５の上端部の周縁部１５ａとを、図２（ロ）に拡大して示す如く、上記箱体１２の胴部１２ｂやクッション材２２の高さ位置よりも僅かに上方に突出するようにして箱体胴部１２ｂとクッション材２２を包み込むようにし、オープンファスナ１８の片側ファスナ片１８ａの布部を、上記内布１６の周縁部１６ａと外布１５の周縁部１５ａとの間に挟み込み、周方向に縫合してファスナ片１８ａを一体に取り付けるようにする。
【００１８】
更に、上記袋体１７には、２本の持ち手２３を取り付けるようにする。該持ち手２３は、革や厚手の布等の丈夫な素材を用いてベルト状にしたもので、図１、図３に示す如く、各両端部を、袋体１７の外布１５の上端部の周縁部１５ａと上記ファスナ片１８ａの布部との間に挟み込んで縫合して固定し、２本の持ち手２３を持つことにより袋体１７を上向きの姿勢で持ち運びができるようにしてある。
【００１９】
上記袋体１７の内側に配した袋状の内布１６の内面には、周方向に隣接させて複数個のポケット２４を形成するようにしてある。上記各ポケット２４は、図２（イ）及び図３に示す如く、上記箱体１２の胴部１２ｂの高さ方向の中間部よりやや高い位置までの深さを有するものとすると共に、周方向に所要の幅寸法を有するものとしてある。
【００２０】
上記蓋体１４は、上記袋体１７の上端開口１３を閉塞させて本考案の袋物とするもので、箱体１２の胴部１２ｂの外径とほぼ同じ外径を有するものとしてあり、図４及び図５に示す如く、アルミニウム、ブリキ等の金属製や、合成樹脂製とした皿状又は容器の蓋状の円盤部材１４ａと、該円盤部材１４ａの開口部を閉塞するプレート部材１４ｂを重ね合わせた蓋本体として、円盤部材が下向きとなるようにして、通常の大人の人が座っても変形することのないように所要の強度を有するものとしてある。又、その外側面と内側面には、それぞれ前記クッション材２１と同様な材質としたクッション材２５と２６をサンドイッチ状に配して取り付けて、上記蓋体１４の外側のクッション材２５の外側には、全面を覆うように外布２７を被せるようにすると共に、内側のクッション材２６の表面側（下面側）には、全面を覆うように内布２８を被せて、該内布２８の周縁部と上記外布２７の周縁部とを、両者間にオープンファスナ１８の片側のファスナ片１８ｂを挟持させて縫い合わせ、外布２７と内布２８とで上記蓋本体とクッション材２５，２６を包み込んで、周縁部にファスナ片１８ｂを取り付けた構成とする。
【００２１】
上記のようにファスナ片１８ａが取り付けられた袋体１７の上端開口部に、ファスナ片１８ｂが取り付けられた蓋体１４を載せ、ファスナ片１８ａと１８ｂとからなるファスナ１８を締めることにより、図１に示す如く袋体１７に蓋体１４を装着できるようにする。
【００２２】
なお、上記蓋体１４の内側面における内布２７には、たとえば、図５に示す如き半円状のポケット２９を設け、ファスナ２９ａで開閉できるようにし、カード等の薄手の小物を収納することができるようにする。
【００２３】
上記構成としてあるので、本考案の携帯用椅子兼袋物を使用するときは、袋体１７と蓋体１４とを止めているオープンファスナ１８を開方向に作動させて、蓋体１４を袋体１７の上端部より取り外すようにする。この際、オープンファスナ１８をすべて開けることなく一部閉じた状態としてもよい。
【００２４】
蓋体１４が開放されると、外出に必要な品物を袋体１７の内側やポケット２４に収納する。この際、袋体１７の底部１２ａ内面にはクッション材２１があって、該品物を袋体１７の内部へ投入しても、落下時の衝撃を吸収するようにしてあるので、たとえば、メガネ等の壊れ易いものでも損傷させることなく収納することができる。このようにして必要な品物を収納し終ると、該袋体１７の上端開口の周縁部１５ａと１６ａ間のファスナ片１８ａと蓋体１４の周縁部２７ａと２８ａ間のファスナ片１８ｂとからなるオープンファスナ１８を締めることにより、蓋体１４を袋体１７に取り付けることができる。かかる状態で、２つの持ち手２３を持つことにより携帯できるようになる。
【００２５】
目的地に到着し、あるいは、携帯して移動中に、必要時にオープンファスナ１８を全周にわたって開ければ、蓋体１４を取り外して、袋体１７の内部を開放することができるので、袋状の内布１６内に収納した物も、又、ポケット２４内に収納した物も探す手間を要せず簡単に取り出すことができる。
【００２６】
又、本考案の袋物を携帯時に、袋体１７が周辺にある物や人に接触しても、接触時の衝撃を箱体１２の胴部１２ｂ外側面のクッション材２２により和らげることができる。これにより、接触した物や人体への衝撃を防ぐことができる。
【００２７】
更に、蓋体１４の下面のポケット２９には、たとえば、病院の診察券等の如き薄手のものを収納すれば、すぐに取り出せるようにすることができて、蓋体の内側面のスペースを有効に利用することができる。
【００２８】
又、本考案の携帯用椅子兼袋物は、そのまま携帯用の椅子として用いることができる。すなわち、図１に示す如く、袋体１７の上端開口の周縁部１７ａのファスナ片１８ａと蓋体１４の周縁部のファスナ片１８ｂとを締めることにより、蓋体１４が袋体１７の上端部に被着された状態にすると、この状態で前記した如く持ち手２３を把持することにより携帯できるが、上記袋体１７を下ろして該袋体１７の底部を床面等の安定した場所に載置させることにより、蓋体１４の外側面が座椅子の座面となる。したがって、カバー２０の上に腰を掛けるようにすることにより、そのまま椅子として用いることができて、いつでも座りたいときに座ることができる。この際、蓋体１４の外側面にはクッション材２５が取り付けてあるため、座り心地もよく、座椅子として長時間にわたり用いることができ、又、全体が筒状で床面等に置いた場合に安定性があるので、安心して座ることができる。
【００２９】
しかも、袋体１７も蓋体１４も充分な強度を有するものとしてあるので、椅子として使用しているときに変形したり、潰れたりすることがないので、品物を収納した状態で椅子として用いることができる。又、面倒な操作を必要とすることなく袋体１７をそのまま床等の上に置くだけで椅子として用いることができることから、人目を気にすることなく座りたい時にいつでも使用することができる。
【００３０】
図６乃至図９は本考案の携帯用椅子兼袋物に装着して用いるようにするカバーを示すもので、袋体１７に被せて用いるカバー１９は、図６及び図７に示す如く、該袋体１７の胴部に嵌着できる長さと内径寸法に形成した筒状としてあるカバー本体３０を有し、該カバー本体３０の上端部の、たとえば、相対向する２個所の内側に、所要の大きさを有する面ファスナ３１を取り付けると共に、上記カバー本体３０の下端面部に、複数本（図では２本の場合を示す）のゴム紐３２を交叉するように配して、各ゴム紐３２の両端がカバー本体３０の下端部に取り付けてある。更に、上記カバー本体３０の外側面には、周方向に複数個のポケット３３が並べて取り付けてある。各ポケット３３は、カバー本体３０の外側面にポケット布３３ａを縫着した構成としてあり、各ポケット３３の収納スペースが大きくなるようにポケット布３３ａは、たとえば、襞付きとしてあり、又、所要大きさの舌片状の蓋３３ｂで上部開口部を閉塞するようにしてある。
【００３１】
一方、上記蓋体１４のカバー２０は、図８に示す如く、蓋体１４の外径寸法に合わせた大きさとしてあり、且つ外周部に、上記カバー１９の面ファスナ３１に対応する周方向の２個所に、上記面ファスナ３１に係止させる面ファスナ３５を外側面に有する係止部３４を、外方へ突出させて形成した構成としてあり、図１に示す如く、係止部３４を袋体１７のカバー１９の上端部内側へ挿入して、係止部３４の外側の面ファスナ３５をカバー１９内側の面ファスナ３１に係止させることにより、蓋体１４のカバー２０を袋体１７のカバー１９に保持させることができるようにしてある。
【００３２】
図６中、３３ｃはカバー１９の外側に設けたポケット３３の蓋３３ｂを着脱自在に開閉させる係止具としての面ファスナを示す。
【００３３】
上記袋体１７のカバー１９、蓋体１４のカバー２０としては、不祝儀用として外表面を黒色としたもの、あるいは、その他の使用目的に合わせて外表面の色、柄の異なるものを複数組用意しておき、必要に応じて図９に示す如く袋体１７の外側にカバー１９を嵌めると共に蓋体１４の外側に被せて用いるようにする。上記カバー１９，２０は、本考案の携帯用椅子兼袋物の装飾用として常時装着して用いてもよく、必要時に使用できるように袋体１７内に収納しておくようにしてもよい。
【００３４】
袋体１７にカバー１９を装着するときは、筒状にしてあるカバー１９を、袋体１７の下端側から被せるように嵌めて上端側へ引き上げて行くことにより簡単に装着することができる。
【００３５】
本考案の携帯用椅子兼袋物を通夜、告別式等に所持するときは、上記のように不祝儀用に用意した黒色のカバー１９と２０を装着するようにする。この際、カバー１９のポケット３３には、数珠等を入れておくことができて便利であり、又、式場で腰掛けることができないような場合には、本考案の携帯用椅子兼袋物を椅子として使用することにより、足腰の悪い者でも楽に過すことができるようになる。
【００３６】
又、本考案の携帯用椅子兼袋物を、上記以外の場所に携帯する場合に、袋体１７及び蓋体１４に、カバー１９，２０を装着しておけば、カバー１９のポケット３３に種々のものを入れることができるので、たとえば、バスや電車の定期券等の如き頻繁に出し入れする必要があるものや、携帯電話機等を収納しておくことにより、蓋体１４をその都度開放する必要がなくなる。
【００３７】
更に、袋体１７のカバー１９と蓋体１４のカバー２０は、ビニール製とし、且つカバー１９は有底のものとして用いることができる。このビニール製のカバー１９，２０は、常時は袋体１７内に収納しておき、雨天時等の際にビニール製のカバー１９，２０を用いるようにすると、袋体１７や蓋体１４を濡らすことなく保護することができると共に、床等が濡れていても、有底のカバー１９をつけたまま床等に置くことにより袋体１７が水で濡れたり、汚れたりすることなく椅子として使用することが可能となる。
【００３８】
次に、図１０（イ）（ロ）は、本考案の実施の他の形態を示すもので、図１に示したと同様の構成において、袋体１７の上端部所要箇所にベルト保持具３６を１個設けると共に、その直下方位置の該袋体の下端部の所要箇所にベルト保持具３６ａを１個設け、該上下２個所のベルト保持具３６，３６ａにショルダー用のベルト３７の一端側と他端側をそれぞれ着脱自在に取り付けるようにして、ショルダー式の袋物としたものである。
【００３９】
図１０（イ）（ロ）中、３８はベルト保持具止め、３９はベルト３７に取り付けられていて上記フック保持具３６，３６ａに掛けるようにしてあるフックである。その他の構成は図１に示したものと同じであり、図１に示したものと同一のものには同一符号が付してある。
【００４０】
この本実施の形態によれば、図１乃至図５に示した実施の形態と同様な使用方法ができるほかに、ベルト３７を肩に掛けることにより、本考案の携帯用椅子兼袋物をショルダーバックとして用いることができる。この場合、携帯時に持ち手２３は使用しなくてすむことから、両手が開放されるため両手を有効に利用することができる。なお、この際、持ち手２３を袋体１７とカバー１９との間に押し込んで格納した状態にしておくことも可能である。又、この実施の形態によれば、ベルト３７を袋体１７に着脱できるので、ベルト３７を外せば、図１に示す状態で使用でき、ベルト３７を取り付けることにより、簡単にショルダーバックとして使用できるようになる。したがって、ベルト３７を袋体１７内に収納しておいて、必要時にベルト３７を取り出して使用することにより、ショルダーとすることができる。
【００４１】
次いで、図１１は、本考案の実施の更に他の形態を示すもので、一例として図１０（イ）（ロ）に示したショルダー用のベルト３７を、袋体１７の横方向に所要間隔を隔てて２本平行に取り付けて、リュック式の袋物としたものであり、図１０（イ）（ロ）に示したものと同一のものには同一符号が付してある。
【００４２】
この実施の形態によれば、図１乃至図５に示した実施の形態と同様な使用方法ができるほかに、携帯用椅子兼袋物をそのままの姿勢で持ち上げて、背負うようにし、２本のベルト３７をそれぞれ両肩に掛けて腕を通すようにすることより、本考案の携帯用椅子兼袋物をリュックサックとして用いることができる。又、この実施の形態の場合も、ベルト３７を着脱できるようにしてあるので、ベルト３７を袋体１７から取り外したり、袋体１７に取り付けることができる。したがって、ベルト３７を袋体１７内に収納しておくことにより、上記図１０の場合と同様に、必要時にリュックサックとしての使い方もできる。
【００４３】
なお、本考案は、上記実施の形態のみに限定されるものではなく、たとえば、袋体１７の外側を覆う外布１５にタオル生地を用いるようにすれば、クッション材２２を省略することができること、蓋体１４の内側のクッション材２６は省略してもよいこと、袋体１７の箱体１２は、円筒形状のものを示したが、円筒形状以外の筒状体としてもよいこと、又、これに合わせて蓋体１４の平面形状を変えることは当然である。又、袋体１７における袋状の内布１６の内面のポケット２４は８つ設けた場合を示したが、これに限られるものではなく、たとえば、周方向に１個だけ設けるようにしてもよく、又、カバー１９の外側面のポケット３３は一例を示すものであり、その数は任意であり、又、形状は図示したものに限られるものではないこと、図１０（イ）（ロ）や図１１では、ベルト３７を袋体１７に着脱できるように取り付けるように、フック保持具３６，３６ａ、フック３９を用いた場合を示したが、ベルト３７は長さを調整できるようにして両端側を袋体１７に固定し、且つ持ち手２３をなくして、本考案の携帯用椅子兼袋物を、持ち手２３のみの手提げ式、ショルダー式、リュック式の３種類のものとして用意するようにしてもよいこと、その他本考案の要旨を逸脱しない範囲内で種々変更を加え得ることは勿論である。
【図面の簡単な説明】
【００４４】
【図１】本考案の携帯用椅子兼袋物の実施の一形態を示す概略斜視図である。
【図２】本考案の携帯用椅子兼袋物の実施の一形態における袋体を示すもので、（イ）は切断側面図、（ロ）は（イ）におけるＡ部の拡大図である。
【図３】本考案の携帯用椅子兼袋物における袋体の概略平面図である。
【図４】本考案の携帯用椅子兼袋物の実施の一形態における蓋体を示す切断側面図である。
【図５】本考案の携帯用椅子兼袋物における蓋体の裏面図である。
【図６】本考案の携帯用椅子兼袋物における袋体のカバーの概略を示す側面図である。
【図７】図６のＢ−Ｂ矢視図である。
【図８】本考案の携帯用椅子兼袋物における蓋体カバーの概略平面図である。
【図９】本考案の携帯用椅子兼袋物にカバーを装着した状態を示す概略斜視図である。
【図１０】本考案の携帯用椅子兼袋物の実施の他の形態を示すもので、（イ）は概略斜視図、（ロ）は（イ）におけるＣ部の拡大図である。
【図１１】本考案の携帯用椅子兼袋物の実施の更に他の形態を示す概略斜視図である。
【図１２】従来の携帯用の椅子としても利用できる袋の一例を示す概略透視図である。
【図１３】従来の携帯用の椅子としても利用できる袋の他の例を示す概略斜視図である。
【符号の説明】
【００４５】
１２  箱体
１２ａ  底部
１２ｂ  胴部
１４  蓋体
１５  外布
１６  内布
１７  袋体
１８  オープンファスナ（係合部材）
１９，２０  カバー
２１，２２  クッション材
２４  ポケット
２５，２６  クッション材
３３  ポケット
【図１】
0003110643.tif 000003
【図２】
0003110643.tif 000004
【図３】
0003110643.tif 000005
【図４】
0003110643.tif 000006
【図５】
0003110643.tif 000007
【図６】
0003110643.tif 000008
【図７】
0003110643.tif 000009
【図８】
0003110643.tif 000010
【図９】
0003110643.tif 000011
【図１０】
0003110643.tif 000012
【図１１】
0003110643.tif 000013
【図１２】
0003110643.tif 000014
【図１３】
0003110643.tif 000015